(57)【要約】【課題】ユーザによる電子データ閲覧時の操作の負担を軽減する電子データ表示装置を提供する。【解決手段】ページ単位で構成される電子データを、一のページごとに表示部４０に表示する電子データ表示装置１は、当該電子データにおける一のページの指定を受け付けるページ指定受付部１０１と、一のページにおける所定の領域を定めたホームビュー情報を取得するホームビュー情報取得部１０３と、を備え、表示部４０は、ページ指定受付部１０１において一のページの指定を受け付けた場合には、その指定前において表示中であったページのうちのいかなる領域を表示していたかに関わらず、当該指定されたページのうち、ホームビュー情報で定められた領域を表示する。【選択図】図１
2014092870.tif 000002
【特許請求の範囲】
【請求項１】
ページ単位で構成される電子データを、一のページごとに表示部に表示する電子データ表示装置であって、
前記電子データにおける一のページの指定を受け付けるページ指定受付部と、
前記一のページにおける所定の領域を定めたホームビュー情報を取得するホームビュー情報取得部と、
を備え、
前記表示部は、
前記ページ指定受付部において一のページの指定を受け付けた場合には、その指定前において表示中であったページのうちのいかなる領域を表示していたかに関わらず、当該指定されたページのうち、前記ホームビュー情報で定められた領域を表示する
ことを特徴とする電子データ表示装置。
【請求項２】
前記ホームビュー情報取得部は、
前記ホームビュー情報をページごとに対応付けて取得し、
前記表示部は、
前記ページ指定受付部において一のページの指定を受け付けた場合には、当該指定されたページのうち、当該指定されたページに対応付けられたホームビュー情報で定められた領域を表示する
ことを特徴とする請求項１に記載の電子データ表示装置。
【請求項３】
前記ホームビュー情報取得部は、
一のページについてそれぞれ異なる領域を定義する複数のホームビュー情報を取得し、
前記表示部は、
前記ページ指定受付部において一のページの指定を受け付けた場合には、当該指定されたページのうち、前記複数のホームビュー情報の中から予め定められた一のホームビュー情報で定められた領域を表示する
ことを特徴とする請求項１または請求項２に記載の電子データ表示装置。
【請求項４】
前記複数のホームビュー情報のうちいずれか一のホームビュー情報の指定を受け付けるホームビュー指定受付部と、を備え、
前記表示部は、
前記ホームビュー指定受付部において一のホームビュー情報の指定を受け付けた場合には、その指定前において表示中であったページのうちのいかなる領域を表示していたかに関わらず、当該表示中のページのうち、当該指定されたホームビュー情報で定められた領域を表示する
ことを特徴とする請求項３に記載の電子データ表示装置。
【請求項５】
前記表示部が表示中のページにおいて、当該表示部が表示する領域を変更する指示を受け付ける表示領域変更指示受付部と、
を備え、
前記表示部は、
前記表示領域変更指示受付部において受け付けた変更指示に示される領域が、前記ホームビュー情報で定められた領域に含まれない領域を含むか否かに関わらず、当該変更指示に示された領域を表示する
ことを特徴とする請求項１から請求項４の何れか一に記載の電子データ表示装置。
【請求項６】
前記表示領域変更指示受付部は、
前記表示部が表示中のページにおいて、当該表示部が表示する領域の大きさを維持したまま、当該表示部が表示する領域の位置のみを変更する自由移動指示を受け付ける
ことを特徴とする請求項５に記載の電子データ表示装置。
【請求項７】
前記表示領域変更指示受付部は、さらに、
前記表示部が表示中のページにおいて、当該表示部が表示する領域の大きさを変更する拡大縮小指示を受け付ける
ことを特徴とする請求項５または請求項６に記載の電子データ表示装置。
【請求項８】
前記表示部が表示する領域が矩形であって、
前記表示領域変更指示受付部は、さらに、
前記表示部が表示中のページにおいて、当該表示部が表示する領域の大きさを維持したまま、当該表示部が表示する領域の位置を、前記矩形の辺の長さに応じた距離だけ移動する読み進め指示を受け付ける
ことを特徴とする請求項５から請求項７の何れか一に記載の電子データ表示装置。
【請求項９】
前記表示部は、
当該表示部が表示する領域の下端がページの底辺に接している状態で、前記表示領域変更指示受付部が前記読み進め指示を受け付けた場合には、その指定前において表示中であったページの次のページのうち、前記ホームビュー情報で定められた領域を表示する
ことを特徴とする請求項８に記載の電子データ表示装置。
【請求項１０】
ページ単位で構成される電子データを、一のページごとに表示部に表示する電子データ表示方法であって、
前記電子データにおける一のページの指定を受け付け、
前記一のページにおける所定の領域を定義するホームビュー情報を取得し、
その指定前において表示中であったページのうちのいかなる領域を表示していたかに関わらず、当該指定されたページのうち、前記ホームビュー情報で定められた領域を表示する
ことを特徴とする電子データ表示方法。
【請求項１１】
ページ単位で構成される電子データを、一のページごとに表示する電子データ表示装置のコンピュータを、
前記電子データにおける一のページの指定を受け付けるページ指定受付手段、
前記一のページにおける所定の領域を定義するホームビュー情報を取得するホームビュー情報取得手段、
前記ページ指定受付手段において一のページの指定を受け付けた場合には、その指定前において表示中であったページのうちのいかなる領域を表示していたかに関わらず、当該指定されたページのうち、前記ホームビュー情報で定められた領域を表示する表示手段
として機能させるプログラム。
【発明の詳細な説明】
【技術分野】
【０００１】
本発明は、文書や画像からなる電子データを表示する電子データ表示装置、電子データ表示方法及びプログラムに関する。
【背景技術】
【０００２】
近年、膨大な量の情報についての電子化が進む中で、電子化された書籍・文書・コミック等のコンテンツ提供が急速に普及してきている。ユーザは、このような電子書籍や電子文書を利用する際には、専用の電子書籍表示装置（又は電子書籍表示プログラム）を用いて閲覧するのが一般的となっている。
【０００３】
このような電子書籍表示装置は、電子化された書籍の内容を記憶する記憶部、所定の電子書籍の選択やページ送り等の操作を行う操作部、選択された電子書籍の内容を表示する表示部、そしてこれら各部を制御する制御部等を備えるものが一般的である。そして、ユーザ操作により操作部を介して所望の電子書籍が選択されると、制御部は選択された電子書籍の内容を記憶部から読み出して、その電子書籍の最初のページを表示部に表示させる。また、例えば、操作部においてページ送りが指示されると、表示部に表示されているページを次のページに切り替えて表示したりする。
【０００４】
また、上述したような電子書籍表示装置は主に携帯用として小型のものが多く、このような携帯型電子書籍表示装置の表示部は、一般的な書籍に対してサイズが小さいものとなる。そうすると、ユーザは、サイズの小さい表示部に電子書籍の一ページ全てを表示させようとした場合、一文字当たりの大きさが小さくなりすぎて読みづらくなるという問題が生じる。したがって、このような電子書籍表示装置は一般的に、電子書籍の一ページを部分的に大きく表示する拡大機能と、同時に、拡大した表示を元のサイズに縮小する縮小機能も備えている。
【０００５】
なお、このような拡大表示の手法には大きく分けて二つの種類がある。一つは拡大縮小時においても、紙の書類のように一ページの紙面に固定的にレイアウトされるタイプ(以下、固定レイアウトタイプという)である。これはコミックやファッション誌をはじめとするレイアウトを重視した書籍などに対応する。もう一つは、書類を電子書籍表示装置の表示画面上に表示するときに拡大率に合わせて逐次レイアウトしていくタイプ(可変レイアウトタイプという)である。小説のような文字中心の書籍などに対応する。
【０００６】
固定レイアウトタイプであれば、電子書籍表示装置で拡大表示すると、一ページの紙面の一部が拡大鏡でみたように拡大される。例えば、横書き一行２０文字でレイアウトされているとき、電子書籍表示装置で二倍に拡大すると、一行には１０文字しか表示されず、その下の二行目は２１文字目からの１０文字となる。一方可変レイアウトタイプは、電子書籍表示装置で拡大表示をすると、文字は拡大されても、はみ出した文字は、次の行に繰り込み表示される。例えば、横書き一行２０文字でレイアウトされているとき、電子書籍表示装置で二倍に拡大すると、一行目は１０文字で、二行目は１１文字目から１０文字表示され、文章が切れずに読むことができる。
【０００７】
以下、固定レイアウトタイプの電子書籍表示装置に関して説明を続ける。
上述したような固定レイアウトタイプの電子書籍表示装置は一般的に、ある一ページの所定の一部分を拡大して表示している場合において、表示部に表示する部分を移動（スライド）させる機能も備えている。すなわち、ユーザは、まず自身が閲覧しようとする領域を読みやすい文字の大きさになるまで拡大し、その読み進みに応じて順次表示位置をスライドさせていく、という使い方が一般的である。
【０００８】
なお、上記電子書籍表示装置に関連する技術として、「トリミング」機能を有する電子書籍表示装置（又はプログラム）が存在する。これは、ユーザがある一ページのうちの所定の領域を指定（トリミング）することで、当該指定された領域以外の領域が存在しないものとして表示処理を行う機能である。例えば、ある電子書籍のページレイアウトにおいて、余白や脚注の占める領域が大きく、ユーザが読もうとする本文が相対的に小さく記載されているような場合がある。このような場合に、その本文が記載されている領域を「トリミング」すれば、その領域以外の領域（余白、脚注等）が表示部に表示されなくなり、指定した領域（本文）のみが全面に表示されるようになる。このようにすれば、目的とする本文のみが表示画面全面に拡大されて表示されるようになり、ユーザは、読みやすい文字のサイズで目的とする文章のみを読み進めることができるようになる。また、「トリミング」で指定した領域は、その指定操作を行ったページのみならず、他のページ全てに反映される。したがって、電子書籍のページレイアウトが当該電子書籍の全ページに渡って共通する場合は、一回のトリミング指定で、全てのページの余白や脚注を廃した状態で書籍を読み進めることができる。
【０００９】
また、上記電子書籍表示装置に関連する別の技術として、記憶媒体に記憶された書籍データを構成する複数の領域データの中から選択された領域データを予め定めた順番に従って、表示部の表示領域に合わせたサイズに変更させながら順次切り替えて表示させる電子書籍表示装置が公知となっている（特許文献１）。例えば閲覧しようとする電子書籍が、ページごとに不規則にコマ割りされたコミックであったり、写真と記事が不規則に配列される情報誌であったりする場合を考える。この場合において、特許文献１に開示される電子書籍表示装置は、予めそのページを構成するパーツ（コマ、写真或いは記事）ごとに、その部分を占める表示領域とその表示順位を設定しておく。そして、この電子書籍表示装置は、当該電子書籍を表示する指示を受けた場合に、まず上記表示領域の内もっとも表示順位が高いものを表示部の表示画面全面に表示する。次に操作部においてその表示領域の送り指示が入力されると、その表示領域を次の順位の表示領域に切り替えて表示する。このようにすれば、コミックのように複数のコマ割りで一のページが構成される場合において、ユーザは一コマごとに画面全面に拡大して表示された内容を、予め指定された順番に従って表示して読み進めることができる。
【先行技術文献】
【特許文献】
【００１０】
【特許文献１】特開２００２−１８３２０７号公報
【発明の概要】
【発明が解決しようとする課題】
【００１１】
しかしながら、上述した電子書籍表示装置及び電子書籍表示方法には以下のような問題がある。
【００１２】
まず、従来の電子書籍表示装置において、ユーザが電子書籍の読み進め中に生じていた問題について説明する。
固定レイアウトタイプの電子書籍で、もともとレイアウトされた判型が大きく、電子書籍表示装置の画面サイズが小さい場合や、老眼で小さな文字が見え辛い場合、拡大機能を持った電子書籍表示装置で拡大して読むことができ便利である。しかしながら、拡大した状態でページをめくる操作をすると、次のいずれかとなる。（１）次ページにおいて現在ページと同じ位置に相当する部分が拡大表示される。（２）次ページの左上（横書きのとき。縦書きでは右上）が拡大される。（３）拡大が解除され、次のページが全体表示される。まず（１）は電子書籍を読みすすめる上では適当ではない。（２）は固定レイアウトでは周辺に余白やページ番号など本文以外の領域も拡大されるので、ページをめくったあと、本文の先頭が見やすい位置にくるまで拡大位置を移動する手間がかかる。（３）は同じように大きく拡大して見たいときは、拡大と位置移動の操作が必要となり手間がかかる。以上、いずれの処理の場合であっても、電子書籍を読み進める上でユーザの操作負荷が大きいという問題がある。
【００１３】
また、上述した「トリミング」機能を備える電子書籍表示装置の問題点について説明する。
上述したトリミング機能では、トリミング処理において表示させないようにした領域が存在しないものとして扱うため、ユーザは当該領域を閲覧することができなくなってしまう。すなわち、トリミング機能により表示させないようにした領域に、例えば脚注などの情報が含まれていた場合、ユーザは、そのトリミング機能を解除しない限りその領域に含まれていた情報を閲覧できなくなってしまう。また、ページ内のレイアウトがページごとに異なる電子書籍を閲覧する場合、異なるレイアウトのページを表示する度にトリミング設定をし直さなければならず、ユーザの操作負担を加重させてしまう問題がある。
【００１４】
次に、特許文献１に開示された電子書籍表示装置の問題点について説明する。
すなわち、特許文献１に開示された電子書籍表示装置は、一のページを構成するコマ割りごとに分割された領域を一の表示画像として順次表示するものである。したがって、一ページを構成するコマごとの連続性が保たれないという問題がある。例えば、ある一つのコマを表示しているとき、その表示位置を自由にスライド又は拡大縮小しながらそのコマの周辺の領域（別のコマ）まで表示させるようなことはできない。すなわちユーザは、一のページ全体にかかるコマ割り構成を意識しながら書籍を読み進めることができない。また、一ページ単位で固定表示されるプレビュー表示領域を表示する一実施例も開示されているが、このプレビュー表示は内容を読めるほどには大きくないので、コマ表示領域に表示された内容と同等の効果を期待することはできない。
【００１５】
そこでこの発明は、上述の問題を解決することのできる電子データ表示装置、電子データ表示方法及びプログラムを提供することを目的としている。
【課題を解決するための手段】
【００１６】
本発明は、上述の課題を解決すべくなされたもので、ページ単位で構成される電子データを、一のページごとに表示部に表示する電子データ表示装置であって、前記電子データにおける一のページの指定を受け付けるページ指定受付部と、前記一のページにおける所定の領域を定めたホームビュー情報を取得するホームビュー情報取得部と、を備え、前記表示部は、前記ページ指定受付部において一のページの指定を受け付けた場合には、その指定前において表示中であったページのうちのいかなる領域を表示していたかに関わらず、当該指定されたページのうち、前記ホームビュー情報で定められた領域を表示することを特徴とする電子データ表示装置である。
【００１７】
また本発明は、前記ホームビュー情報取得部が、前記ホームビュー情報をページごとに対応付けて取得し、前記表示部が、前記ページ指定受付部において一のページの指定を受け付けた場合には、当該指定されたページのうち、当該指定されたページに対応付けられたホームビュー情報で定められた領域を表示することを特徴とする。
【００１８】
また本発明は、前記ホームビュー情報取得部が、一のページについてそれぞれ異なる領域を定義する複数のホームビュー情報を取得し、前記表示部が、前記ページ指定受付部において一のページの指定を受け付けた場合には、当該指定されたページのうち、前記複数のホームビュー情報の中から予め定められた一のホームビュー情報で定められた領域を表示することを特徴とする。
【００１９】
また本発明は、前記複数のホームビュー情報のうちいずれか一のホームビュー情報の指定を受け付けるホームビュー指定受付部と、を備え、前記表示部は、前記ホームビュー指定受付部において一のホームビュー情報の指定を受け付けた場合には、その指定前において表示中であったページのうちのいかなる領域を表示していたかに関わらず、当該表示中のページのうち、当該指定されたホームビュー情報で定められた領域を表示することを特徴とする。
【００２０】
また本発明は、前記表示部が表示中のページにおいて、当該表示部が表示する領域を変更する指示を受け付ける表示領域変更指示受付部と、を備え、前記表示部は、前記表示領域変更指示受付部において受け付けた変更指示に示される領域が、前記ホームビュー情報で定められた領域に含まれない領域を含むか否かに関わらず、当該変更指示に示された領域を表示することを特徴とする。
【００２１】
また本発明は、前記表示領域変更指示受付部が、前記表示部が表示中のページにおいて、当該表示部が表示する領域の大きさを維持したまま、当該表示部が表示する領域の位置のみを変更する自由移動指示を受け付けることを特徴とする。
【００２２】
また本発明は、前記表示領域変更指示受付部が、さらに、前記表示部が表示中のページにおいて、当該表示部が表示する領域の大きさを変更する拡大縮小指示を受け付けることを特徴とする。
【００２３】
また本発明は、前記表示部が表示する領域が矩形であって、前記表示領域変更指示受付部は、さらに、前記表示部が表示中のページにおいて、当該表示部が表示する領域の大きさを維持したまま、当該表示部が表示する領域の位置を、前記矩形の辺の長さに応じた距離だけ移動する読み進め指示を受け付けることを特徴とする。
【００２４】
また本発明は、前記表示部が、当該表示部が表示する領域の下端がページの底辺に接している状態で、前記表示領域変更指示受付部が前記読み進め指示を受け付けた場合には、その指定前において表示中であったページの次のページのうち、前記ホームビュー情報で定められた領域を表示することを特徴とする。
【００２５】
また本発明は、ページ単位で構成される電子データを、一のページごとに表示部に表示する電子データ表示方法であって、前記電子データにおける一のページの指定を受け付け、前記一のページにおける所定の領域を定義するホームビュー情報を取得し、その指定前において表示中であったページのうちのいかなる領域を表示していたかに関わらず、当該指定されたページのうち、前記ホームビュー情報で定められた領域を表示することを特徴とする電子データ表示方法である。
【００２６】
また本発明は、ページ単位で構成される電子データを、一のページごとに表示する電子データ表示装置のコンピュータを、前記電子データにおける一のページの指定を受け付けるページ指定受付手段、前記一のページにおける所定の領域を定義するホームビュー情報を取得するホームビュー情報取得手段、前記ページ指定受付手段において一のページの指定を受け付けた場合には、その指定前において表示中であったページのうちのいかなる領域を表示していたかに関わらず、当該指定されたページのうち、前記ホームビュー情報で定められた領域を表示する表示手段として機能させるプログラムである。
【発明の効果】
【００２７】
本発明によれば、ユーザによる電子データ閲覧時の操作の負担を軽減するという効果が得られる。
【図面の簡単な説明】
【００２８】
【図１】本発明の第一の実施形態による電子データ表示装置の最小構成を示す図である。
【図２】第一の実施形態による電子データ表示装置１の具体的な構成例を示す図である。
【図３】第一の実施形態において、記憶部２０に登録されるデータ構成の例を示す第一の図である。
【図４】第一の実施形態において、記憶部２０に登録されたデータに基づいて表される各種領域のイメージを示す図である。
【図５】第一の実施形態において、ある電子データを表示部４０に表示したときの最初の状態を示す図である。
【図６】第一の実施形態において、ホームビュー機能を有効にしたときの状態を示す図である。
【図７】第一の実施形態において、表示部４０に表示された領域を自由移動指示により変更した後の状態を示す図である。
【図８】第一の実施形態において、表示部４０に表示された領域を拡大指示により変更した後の状態を示す第一の図である。
【図９】第一の実施形態において、ホームビューの設定を変更した後の状態を示す図である。
【図１０】第一の実施形態において、表示部４０に表示された領域を読み進め指示により変更した後の状態を示す第一の図である。
【図１１】第一の実施形態において、表示部４０に表示された領域を読み進め指示により変更した後の状態を示す第二の図である。
【図１２】第一の実施形態において、表示部４０に表示された領域を拡大指示により変更した後の状態を示す第二の図である。
【図１３】第一の実施形態において、表示部４０に表示された領域を読み進め指示により変更した後の状態を示す第三の図である。
【図１４】第一の実施形態において、表示部４０に表示されたページを次ページ移動指示により変更した後の状態を示す図である。
【図１５】第一の実施形態において、記憶部２０に登録されるデータ構成の例を示す第二の図である。
【図１６】第一の実施形態による電子データ表示装置１における処理の流れをまとめた第一のチャート図である。
【図１７】第一の実施形態による電子データ表示装置１における処理の流れをまとめた第二のチャート図である。
【図１８】第一の実施形態による電子データ表示装置１における処理の流れをまとめた第三のチャート図である。
【図１９】第二の実施形態による電子データ表示装置１の具体的な構成例を示す図である。
【図２０】第二の実施形態において、記憶部２０に登録されるデータ構成の例を示す図である。
【図２１】第二の実施形態において、記憶部２０に登録されたデータに基づいて表される各種領域のイメージを示す図である。
【図２２】第二の実施形態において、ホームビュー機能を有効にしたときの状態を示す図である。
【図２３】第二の実施形態において、表示部４０に表示された領域を読み進め指示により変更した後の状態を示す図である。
【図２４】第二の実施形態において、有効とするホームビューを次ホームビュー移動指示により変更した後の状態を示す図である。
【図２５】第二の実施形態による電子データ表示装置１における処理の流れをまとめた第一のチャート図である。
【図２６】第二の実施形態による電子データ表示装置１における処理の流れをまとめた第二のチャート図である。
【図２７】第三の実施形態において、記憶部２０に登録されるデータ構成の例を示す図である。
【図２８】第三の実施形態において、記憶部２０に登録されたデータに基づいて表される各種領域のイメージを示す図である。
【発明を実施するための形態】
【００２９】
＜第一の実施形態＞
以下、本発明の第一の実施形態による電子データ表示装置を、図面を参照して説明する。
【００３０】
図１は本実施形態による電子データ表示装置の最小構成を示す図である。
この図において、符号１は電子データ表示装置である。電子データ表示装置１は、ページ単位で構成される電子データを、一のページごとに表示部４０に表示する電子データ表示装置である。ここで本実施形態における「電子データ」とは、複数ページに渡る文字や画像による情報で構成される電子書籍、電子文書等を指す。電子小説や電子コミック、電子マニュアル、電子情報雑誌などが一般的によく知られている。本実施形態における当該電子データは、論文やマニュアルなどのような横組みの文書であってもよいし、一般的な小説のような縦組みの文書であってもよい。また、当該電子データのファイルフォーマットとしては、ＰＤＦ（Ｐｏｒｔａｂｌｅ  Ｄｏｃｕｍｅｎｔ  Ｆｏｒｍａｔ）形式が一般的であるが、本実施形態では当該ＰＤＦ形式のものには限定されない。
【００３１】
本実施形態による電子データ表示装置１は、当該電子データを読み込んで、一ページ単位で表示部４０に表示させながらユーザに閲覧させるものである。ユーザは、この電子データ表示装置１に対し所定の入力操作を行いながら表示するページを変更して文書を読み進めていく。ただし、本実施形態による電子データ表示装置１は、表示部４０の画面上に一ページのみならず、二ページ以上のページを同時に表示させる機能を有していても構わない。
【００３２】
そして、電子データ表示装置１は、少なくとも、電子データにおける一のページの指定を受け付けるページ指定受付部１０１と、一のページにおける所定の領域を定めたホームビュー情報を取得するホームビュー情報取得部１０３と、を備えている。また表示部４０は、ページ指定受付部１０１において一のページの指定を受け付けた場合には、その指定前において表示中であったページのうちのいかなる領域を表示していたかに関わらず、当該指定されたページのうち、ホームビュー情報で定められた領域を表示することを特徴としている。
【００３３】
図２は本実施形態による電子データ表示装置１の具体的な構成例を示す図である。
上記において説明した電子データ表示装置１について、図２を用いてより詳細に説明する。図２に示す通り、電子データ表示装置１は、演算部１０、記憶部２０、操作部３０及び表示部４０を備えている。
【００３４】
演算部１０は、操作部３０から入力される各種入力情報に基づいて様々な処理を実行する機能部であり、一般的には、電子データ表示装置１が備える汎用ＣＰＵ（Ｃｅｎｔｒａｌ  Ｐｒｏｃｃｅｓｓｉｎｇ  Ｕｎｉｔ、中央演算装置）に所定のプログラムを読み込ませて構成されるものである。本実施形態にかかる演算部１０は、上述したページ指定受付部１０１、ホームビュー情報取得部１０３の他、表示領域変更指示受付部１０２及び表示画像形成部１０４を備えている。
【００３５】
ページ指定受付部１０１は、操作部３０を介して入力されるユーザの所定の操作に基づいてページの指定を受け付けるものである。ここで、電子データ表示装置１がいわゆるタッチスクリーン方式である場合、当該「所定の操作」としては、例えば以下のようなものが挙げられる。すなわち、ページ指定受付部１０１は、「左フリック操作」（タッチスクリーンを指で押さえ、左にはじく操作）による次ページ移動指示を受け付けて、現在表示中のページ番号より一つ多いページ番号を指定する。またページ指定受付部１０１は、「右フリック操作」（タッチスクリーンを指で押さえ、右にはじく操作）による前ページ移動指示を受け付けて、現在表示中のページ番号より一つ少ないページ番号を指定する。なお、ページ指定受付部１０１は、表示する電子データが縦組みの文書であった場合には、「右フリック操作」を次ページ移動指示、「左フリック操作」を前ページ移動指示、などとしてそれぞれを使い分けしてもよい。そして、ページ指定受付部１０１は、操作部３０からの上記のような入力を受け付けて、当該指定されたページ番号を現在ページ番号記憶部２０１（後述）に登録する。
【００３６】
表示領域変更指示受付部１０２は、電子データ表示装置１の表示部４０が現在表示中のページにおいて、当該表示部４０が表示する領域（現在表示領域）を変更する指示を受け付けるものである。ここで、「現在表示領域」とは、現在表示中のページの一部または全部であって、表示部４０の画面上に実際に描画される領域のことを指す。現在表示領域は矩形で表され、例えば、ページの左上頂点を座標（０，０）、右下頂点を座標（ｅｎｄ＿ｘ，ｅｎｄ＿ｙ）などと定義したとき、この範囲内における二つの地点を示す座標（ｘ１，ｙ１）、（ｘ２，ｙ２）で一意に定められた矩形領域を指す。ここで、ｘ１、ｘ２はいずれも０以上ｅｎｄ＿ｘ以下の値であり、ｙ１、ｙ２はいずれも０以上ｅｎｄ＿ｙ以下の値である。
【００３７】
また「表示する領域を変更する指示」（表示領域変更指示）とは、主にユーザが操作部３０を介して入力する所定の操作に基づく指示である。ここで、電子データ表示装置１がタッチスクリーン方式である場合、当該表示領域変更指示としては、例えば以下のようなものが挙げられる。すなわち、表示領域変更指示受付部１０２は、「ドラッグ操作」（指をタッチスクリーン上で滑らせる操作）による自由移動指示を受け付ける。自由移動指示とは、表示部４０に表示された領域の大きさを維持したまま、ドラッグ操作により指示された方向へ現在表示領域を移動する指示である。また、表示領域変更指示受付部１０２は、「ピンチイン」（二本の指で同時にタッチスクリーンを押さえ、そのまま指の間隔を狭める操作）による縮小指示、「ピンチアウト」（二本の指で同時にタッチスクリーンを押さえ、そのまま指の間隔を広げる操作）による拡大指示も受け付ける。そして、表示領域変更指示受付部１０２は、上記のような表示領域変更指示を受け付けて、ユーザ操作によって指示された領域を現在表示領域記憶部２０２（後述）に登録する。
【００３８】
ホームビュー情報取得部１０３は、ホームビュー情報を取得するものである。ここで「ホームビュー情報」とは電子データのページにおける所定の領域を定めたものである。具体的に説明すると、「ホームビュー情報」は、上述した「現在表示領域」と同様に、ページ上のある矩形領域を一意に定める二つの地点を示す座標（ａｘ１，ａｙ１）、（ａｘ２，ａｙ２）で構成される。ここで、ａｘ１、ａｘ２はいずれも０以上ｅｎｄ＿ｘ以下の値であり、ａｙ１、ａｙ２はいずれも０以上ｅｎｄ＿ｙ以下の値である。
【００３９】
ホームビュー情報取得部１０３は、例えば、以下のような手段によりホームビュー情報を取得する。
（１）ホームビュー情報取得部１０３は、操作部３０を介して入力されるユーザの所定の操作に従ってホームビュー情報を取得する。具体的には、ユーザは、現在表示中のページのレイアウトを視認しながら、矩形領域を示す二点の座標を指定する。ホームビュー情報取得部１０３は、その指定された二点の座標を取得する。（２）ホームビュー情報取得部１０３は、電子データのページレイアウトを自動で検出する所定のプログラムによりホームビュー情報を取得する。ここで「所定のプログラム」とは、例えば、ページ全体をスキャニングしてその構成を把握した上で、文字や画像が印字（印画）された部分、または余白部分等を抽出するプログラムである。ホームビュー情報取得部１０３は、このようなプログラムが抽出した矩形領域の座標を取得する。（３）ホームビュー情報取得部１０３は、電子データの一部として予め組み込まれたホームビュー情報を取得する。読み込んだ電子データが、自身のレイアウトに合わせて予めホームビュー情報を記憶してあった場合には、ホームビュー情報取得部１０３はそのホームビュー情報を取得する。
本実施形態にかかるホームビュー情報取得部１０３は上記態様のうち、いずれか一の手段またはその組み合わせでホームビュー情報を取得する。ホームビュー情報取得部１０３は以上のようにして取得したホームビュー情報を設定ホームビュー記憶部２０３（後述）に登録する。
【００４０】
表示画像形成部１０４は、記憶部２０に登録された内容を参照して、最終的に表示部４０に表示させる画像を形成する機能部である。表示画像形成部１０４は、まず電子データ内において表示しようとするページを現在ページ番号記憶部２０１の内容を参照して取得し、さらに、当該ページ内のいずれの部分を表示するかを、現在表示領域記憶部２０２を参照して取得する。そして、記憶部２０に登録された電子データの内容のうち、該当するページの該当する現在表示領域の内容を取得して、最終的に表示部４０に表示すべき画像を形成する。
【００４１】
記憶部２０は、本実施形態において必要なデータを、演算部１０が登録して一時的に記憶する記憶媒体である。一般的には、ＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）等の大容量ストレージや、ＤＲＡＭ（Ｄｙｎａｍｉｃ  Ｒａｎｄｏｍ  Ａｃｃｅｓｓ  Ｍｅｍｏｒｙ）等の高速アクセスメモリ領域である。記憶部２０を各部に記憶されるデータについては後述する。
【００４２】
操作部３０は、キーボード、マウス、或いは音声などの入力インターフェイスであるが、本実施形態においては、特に、表示部４０と一体化したタッチスクリーン（タッチパネル、タッチセンサ等ともいう）方式の入力インターフェイスである。
【００４３】
表示部４０は、本実施形態による電子データ表示装置１が最終的に電子データを表示するための画像表示画面である。ユーザは、当該表示部４０を介して電子データの内容を視覚的に認識することができる。表示部４０は、例えば液晶ディスプレイやプラズマディスプレイ、或いは有機ＥＬディスプレイなどで構成される。また上述した通り、本実施形態においては、表示部４０はその表示画面全面にタッチセンサが敷設されており、操作部３０と一体となって構成されるものである。
【００４４】
図３は、本実施形態において、記憶部２０に登録されるデータ構成の例を示す第一の図である。
次に、記憶部２０の各部に登録されるデータのデータ構成例について具体的に説明する。まず、現在ページ番号記憶部２０１は、表示部４０に表示しようとするページの番号を記憶する記憶部である。現在ページ番号記憶部２０１に記憶される記憶データは、そのページ番号を示す数字である（図３）。ページ指定受付部１０１は、ページ指定入力操作に基づき、現在ページ番号記憶部２０１に新たなページ番号を登録し、また、表示画像形成部１０４は、現在ページ番号記憶部２０１に登録されたページ番号を参照して表示画像を形成する。
【００４５】
現在表示領域記憶部２０２は、一ページの内、表示部４０の画面上に実際に描画する領域（現在表示領域）を定義するデータを記憶する記憶部である。現在表示領域記憶部２０２に記憶されるデータは、上述した通り、現在表示領域としての矩形領域を一意に定める二点の座標である（図３）。なお、表示領域変更指示受付部１０２は、所定の表示領域変更操作に基づき、現在表示領域記憶部２０２に新たな現在表示領域を登録し、また、表示画像形成部１０４は、現在表示領域記憶部２０２に登録された現在表示領域を参照して最終的な表示画像を形成する。
【００４６】
設定ホームビュー記憶部２０３は、一ページの内の所定の領域を「ホームビュー」として規定するホームビュー情報を記憶する記憶部である。現在表示領域記憶部２０２には、上述した通り、ホームビュー情報として、矩形領域を一意に定める二点の座標が登録される（図３）。設定ホームビュー記憶部２０３に登録された座標データ（ホームビュー情報）は、ユーザによる所定の操作によって演算部１０（表示領域変更指示受付部１０２）に参照され、現在表示領域記憶部２０２に登録される座標データに反映される。
【００４７】
電子データ２０４は、ユーザが電子データ表示装置１を用いて内容を閲覧しようとするデータそのものである。表示画像形成部１０４は、上述した通り、当該電子データ２０４の内容と、現在ページ番号記憶部２０１、現在表示領域記憶部２０２に登録された内容を参酌して最終的な表示画像を形成する。
【００４８】
図４は、本実施形態において、記憶部２０に登録されたデータに基づいて表される各種領域のイメージを示す図である。
記憶部２０において図３に示したようなデータが登録されている場合、各種領域が指定する範囲は、図４に示すように表される。例えば、電子データ２０４は複数のページからなる横組みの電子文書であるとする（図４の二点鎖線で示される文書データ）。そして、ページの左上頂点を座標（０，０）、右下頂点を座標（ｅｎｄ＿ｘ，ｅｎｄ＿ｙ）と定め、各ページ中における所定の位置は全て上記範囲内の座標で定義されるものとする。
【００４９】
例えば、図３における現在ページ番号記憶部２０１では、ページ番号が「１」と登録されており、また、現在表示領域記憶部２０２では、座標データが「座標（ｘ１，ｙ１）  座標（ｘ２，ｙ２）」と登録されているとする。このような場合、実際に表示部４０の画面に描画される領域（現在表示領域）は、図４の破線で示される領域（電子データ２０４のページ「１」中、「座標（ｘ１，ｙ１）  座標（ｘ２，ｙ２）」で区画される矩形領域）となる。
【００５０】
また、例えば、図３における設定ホームビュー記憶部２０３では、ホームビューが「座標（ａｘ１，ａｙ１）  座標（ａｘ２，ａｙ２）」として登録されているとする。この場合におけるホームビュー領域は、図４の一点鎖線で示される領域（電子データ２０４の各ページにおいて「座標（ａｘ１，ａｙ１）  座標（ａｘ２，ａｙ２）」で区画される矩形領域）となる。なお、本実施の形態において、設定ホームビュー記憶部２０３に登録されるホームビューは、電子データ２０４における全ページに渡って共通に設定される。
【００５１】
図５、本実施形態において、電子データ２０４を表示部４０に表示したときの最初の状態を示す図である。
ここで、本実施形態による電子データ表示装置１において、ユーザが記憶部２０に格納されていた電子データ２０４を指定し、電子データ表示装置１が当該電子データ２０４を表示部４０に表示したときの最初の状態について説明する。ここで、電子データ表示装置１において「ホームビュー機能」を無効としていた場合について図５を用いて説明する。
この場合、電子データ表示装置１は、図５（ｂ）に示すように、記憶部２０の現在ページ番号記憶部２０１に、その最初のページであるページ「１」を、現在表示領域記憶部２０２に、ページ「１」全面を示す領域「座標（０，０）  座標（ｅｎｄ＿ｘ，ｅｎｄ＿ｙ）」を登録する。すなわち、電子データ表示装置１は、指定された電子データ２０４の表示開始時において、電子データ２０４の一ページ目の全領域が現在表示領域となるように、記憶部２０に各設定値を登録する（図５（ａ）左）。表示画像形成部１０４は、記憶部２０において上記のように登録された現在表示領域に基づいて、表示部４０に電子データ２０４の一ページ目の全領域を表示画面いっぱいに表示する（図５（ａ）右）。
【００５２】
図６は、本実施形態において、ホームビュー機能を有効にしたときの状態を示す図である。
上記で指定した電子データ２０４における各ページには、本文の他、ページ番号や柱（章タイトル等）や余白が存在している。ユーザが主に目で文字を追うのは本文が記載された領域内に限られる。そこでユーザは、操作部３０を介して、本文部分全体を囲む最小矩形領域をホームビューとして設定するように入力操作を行う。ホームビュー情報取得部１０３は、当該入力操作に基づいて入力されたホームビュー情報を取得し、設定ホームビュー記憶部２０３に登録する。ユーザがこのようなホームビュー設定操作を行い、「ホームビュー機能」を有効とした場合について図６を用いて説明する。
【００５３】
この場合、電子データ表示装置１は、図６（ｂ）に示すように、記憶部２０の現在ページ番号記憶部２０１に、その最初のページであるページ「１」を、現在表示領域記憶部２０２には、ホームビュー領域「座標（ａｘ１，ａｙ１）  座標（ａｘ２，ａｙ２）」を登録する。すなわち、電子データ表示装置１は、ユーザ操作によりホームビュー情報が設定された際には、電子データ２０４の各ページにおけるホームビュー領域が現在表示領域となるように、記憶部２０に各設定値を登録する（図６（ａ）左）。表示画像形成部１０４は、記憶部２０において上記のように登録された現在表示領域に基づいて表示部４０に電子データ２０４のページ「１」におけるホームビュー領域を表示画面いっぱいに拡大して表示する（図６（ａ）右）（以下、この状態を状態Ｃ１とする）。
電子データ表示装置１は、この機能により、あたかも最初から電子データ２０４のページが本文のみで構成されているかのように、本文だけを拡大して表示することができる。
【００５４】
図７は、本実施形態において、表示部４０に表示された領域を自由移動指示により変更した後の状態を示す図である。
ここで、本実施形態にかかる表示部４０は、表示領域変更指示受付部１０２において受け付けた変更指示に示される領域が、ホームビュー情報で定められた領域に含まれない領域を含むか否かに関わらず、当該変更指示に示された領域を表示することを特徴としている。
以下、この機能について具体的に説明する。
まず、表示領域変更指示受付部１０２が、ページ「１」におけるホームビューが現在表示領域として表示部４０全面に表示されている状態（状態Ｃ１）から、ユーザのドラッグ操作による自由移動指示を受け付け、現在表示領域が「座標（ｘ１，ｙ１）  座標（ｘ２，ｙ２）」で定められる領域に変更されたとする。この時、本実施形態にかかる表示画像形成部１０４は、図７（ａ）に示すように、当該ドラッグ操作により指示された領域がホームビューの領域外の領域を含んでいたとしても（図７（ａ）左）、そのページにおける当該指示された領域を表示部４０に表示する（図７（ａ）右）（以下、この状態を状態Ｃ２とする）。すなわち、上述した「トリミング」機能では、指定された領域以外の領域が除去され、表示部において表示されなかったのに対し、本実施形態による電子データ表示装置１は、設定したホームビュー領域以外の領域であっても、ユーザによる表示領域変更操作に基づいて表示させることができる。
【００５５】
図８は、本実施形態において、表示部４０に表示された領域を拡大指示により変更した後の状態を示す第一の図である。
また、本実施形態にかかる表示領域変更指示受付部１０２は、図７で説明した自由移動指示だけでなく、拡大縮小指示を受け付けることができる。まず、表示領域変更指示受付部１０２が、状態Ｃ１の状態から、ユーザのピンチアウト操作により拡大指示を受け付け、現在表示領域が「座標（ｘ３，ｙ３）  座標（ｘ４，ｙ４）」で定められる領域に変更されたとする。この時、本実施形態にかかる表示画像形成部１０４は、図８（ａ）に示すように、当該ピンチアウト操作により指示された領域（図８（ａ）左）を表示部４０に表示する（図８（ａ）右）（以下、この状態を状態Ｃ３とする）。
また、図示しないが、ユーザのピンチイン操作により、表示領域変更指示受付部１０２が縮小指示を受け付けた場合も、状態Ｃ１において表示されていた領域よりも大きい領域を表示することができる。この際、当該ピンチイン操作により指示された領域がホームビューの領域外の領域を含んでいたとしても、本実施形態にかかる表示画像形成部１０４は、そのページにおける当該指示された領域を表示部４０に表示する。
【００５６】
図９は、本実施形態において、ホームビューの設定を変更した後の状態を示す図である。
図９では、ホームビューが「座標（ａｘ１，ａｙ１）  座標（ａｘ２，ａｙ２）」と設定されていた状態Ｃ１〜Ｃ３から、ユーザがこれと異なるホームビューを再設定したときの状態を示している。状態Ｃ１〜Ｃ３では、ユーザが電子データ表示装置１を縦に持ちながら本文を読み進めることを想定し、その縦横比に沿ったホームビューを適用していた。ここで、状態Ｃ１〜Ｃ３いずれかの状態から、ユーザが電子データ表示装置１を横に持ち替え、これに合わせてホームビューをその縦横比に沿った新たなホームビュー「座標（ｂｘ１，ｂｙ１）  座標（ｂｘ２，ｂｙ２）」に変更したとする。この時、本実施形態にかかる表示画像形成部１０４は、図９（ａ）に示すように、当該ホームビュー設定変更操作により指定されたホームビュー領域（図９（ａ）左）を表示部４０に表示する（図９（ａ）右）（以下、この状態を状態Ｃ４とする）。
このように、本実施形態による電子データ表示装置１は、ユーザが当該電子データ表示装置１を縦方向から横方向に持ち替えた場合等に、これに合わせてホームビューの設定領域を変更してもよい。なお、本実施形態において、当該ホームビュー設定変更操作は、ユーザによる縦横の持ち替えを検知して電子データ表示装置１が自動で実行する態様であってもよいし、持ち替えの都度、ユーザ自身が入力操作により設定し直す態様であっても構わない。
【００５７】
図１０は、本実施形態において、表示部４０に表示された領域を読み進め指示により変更した後の状態を示す第一の図である。
次に、表示領域変更指示受付部１０２が、図９に示す状態Ｃ４の状態から、ユーザの上フリック操作（タッチスクリーンを指で押さえ、上方向にはじく操作）により読み進め指示（現在表示領域を約一画面分下にスライドする指示）を受け付けたとする。表示領域変更指示受付部１０２は、この読み進め指示により現在表示領域を「座標（ｂｘ１，ｂｙ１）  座標（ｂｘ２，ｂｙ２）」から「座標（ｂｘ１，ｙ５）  座標（ｂｘ２，ｙ６）」へと変更する（Ｘ軸の値は固定）（図１０（ｂ））。ここでＹ軸の値（ｙ５、ｙ６）は、現在表示領域の縦方向の大きさ（状態Ｃ４においては、ｂｙ２からｂｙ１を引いた値。これをΔｙ１と置く）を初期値（ｂｙ１、ｂｙ２）にそれぞれ加算した値である。そして、表示画像形成部１０４は、図１０（ａ）に示すように、当該上フリック操作により指示された領域（図１０（ａ）左）を表示部４０に表示する（図１０（ａ）右）（以下、この状態を状態Ｃ５とする）。
このように、本実施形態による電子データ表示装置１は、表示部４０が表示する領域の大きさを維持したまま、表示部４０が表示する領域の位置を、矩形である表示領域の辺の長さに応じた距離だけ下方向に移動する読み進め指示を受け付ける。
また、表示領域変更指示受付部１０２は、上記スライド幅（Δｙ１）から所定値（ｎ１）を差し引いた値を初期値に加算してもよい。こうすることにより、読み進め指示入力前の現在表示領域と、読み進め指示入力によりほぼ一画面分下にスライドした現在表示領域が若干の幅（ｎ１）だけ重なることとなる。このようにすれば、ユーザは読み進め前後において、本文の連続性を認知しながらストレスなく読み進めることができる。
また本実施形態による電子データ表示装置１は、下フリック操作（タッチスクリーンを指で押さえ、下方向にはじく操作）により、表示部４０が表示する領域の位置を、矩形である表示領域の辺の長さに応じた距離だけ上方向に移動する読み戻り指示を受け付けてもよい。
【００５８】
図１１は、本実施形態において、表示部４０に表示された領域を読み進め指示により変更した後の状態を示す第二の図である。
本実施形態による電子データ表示装置１は、表示部４０が表示する領域（現在表示領域）の下端がページの底辺に接している状態で、表示領域変更指示受付部１０２が上記読み進め指示を受け付けた場合には、その指定前において表示中であったページの次のページのうち、前記ホームビュー情報で定められた領域を表示することを特徴とする。ここで「現在表示領域の下端がページの底辺に接している状態」とは、具体的には、図４において現在表示領域を示すＹ座標の値“ｙ２”が“ｅｎｄ＿ｙ”に一致している状態のことをいう。
以下、この機能について具体的に説明する。
まず表示領域変更指示受付部１０２が、図１０に示す状態Ｃ５の状態からさらに読み進め指示を受け付け、現在表示領域がページの底辺にまで達した場合を考える。このとき、表示領域変更指示受付部１０２は、この読み進め指示により現在表示領域を「座標（ｂｘ１，ｙ７）  座標（ｂｘ２，ｅｎｄ＿ｙ）」へと変更する（図１１（ｂ））。ここでＹ軸の値（ｙ７）は、現在表示領域の縦方向の大きさ（Δｙ１（状態Ｃ４と同一））をｅｎｄ＿ｙから減算した値である。そして、表示画像形成部１０４は、図１１（ａ）に示すように、当該上フリック操作により指示された領域（図１１（ａ）左）を表示部４０に表示する（図１１（ａ）右）（以下、この状態を状態Ｃ５’とする）。
すなわち、現在表示領域の下端がページの底辺に達するまでの距離が、上記スライド幅（Δｙ１）よりも短い場合には、現在表示領域の下端をページの底辺に一致させるものとする。
【００５９】
図１２は、本実施形態において、表示部４０に表示された領域を拡大指示により変更した後の状態を示す第二の図である。
本実施形態にかかる表示領域変更指示受付部１０２は、状態Ｃ４の状態からも拡大縮小指示を受け付けることができる。例えば、表示領域変更指示受付部１０２が、ユーザのピンチアウト操作により拡大指示を受け付け、現在表示領域が「座標（ｘ７，ｙ７）  座標（ｘ８，ｙ８）」で定められる領域に変更されたとする。この時、本実施形態にかかる表示画像形成部１０４は、図１２（ａ）に示すように、当該ピンチアウト操作により指示された領域（図１２（ａ）左）を表示部４０に表示する（図１２（ａ）右）（以下、この状態を状態Ｃ６とする）。
【００６０】
図１３は、本実施形態において、表示部４０に表示された領域を読み進め指示により変更した後の状態を示す第三の図である。
次に、表示領域変更指示受付部１０２が、状態Ｃ６（図１２）の状態から、ユーザの上フリック操作により読み進め指示を受け付けたとする。表示領域変更指示受付部１０２は、この読み進め指示により現在表示領域を「座標（ｘ７，ｙ７）  座標（ｘ８，ｙ８）」から「座標（ｘ７，ｙ９）  座標（ｘ８，ｙ１０）」へと変更する（Ｘ軸の値は固定）（図１３（ｂ））。ここでＹ軸の値（ｙ９、ｙ１０）は、現在表示領域の縦方向の大きさ（状態Ｃ６においては、ｙ８からｙ７を引いた値。これをΔｙ２と置く。）を初期値（ｙ７、ｙ８）にそれぞれ加算した値である。そして、表示画像形成部１０４は、図１３（ａ）に示すように、当該上フリック操作により指示された領域（図１３（ａ）左）を表示部４０に表示する（図１３（ａ）右）（以下、この状態を状態Ｃ７とする）。
このように、本実施形態による電子データ表示装置１は、表示部４０が表示する領域の大きさを維持したまま、表示部４０が表示する領域の位置を、矩形である表示領域の辺の長さに応じた距離だけ移動する読み進め指示を受け付ける。
またこの場合においても、表示領域変更指示受付部１０２は、上記スライド幅（Δｙ２）から所定値（ｎ２）を差し引いた値を初期値に加算してもよい。
またこの場合においても、現在表示領域の下端がページの底辺に達するまでの距離が、上記スライド幅（Δｙ２）よりも短い場合には、現在表示領域の下端をページの底辺に一致させるようにしてもよい。
【００６１】
図１４は、本実施形態において、表示部４０に表示されたページを次ページ移動指示により変更した後の状態を示す図である。
次に、本実施形態にかかるページ指定受付部１０１が、状態Ｃ４〜Ｃ７のいずれかの状態から、ユーザの左フリック操作により次ページ移動指示を受け付けたとする。この時、ページ指定受付部１０１は、現在表示中のページ（ページ「１」）よりも一多いページ番号（ページ「２」）を指定して現在ページ番号記憶部２０１に登録する。また、表示領域変更指示受付部１０２は、状態Ｃ４〜Ｃ７のいずれの状態であったかに関わらず、現在表示領域をホームビュー領域「座標（ｂｘ１，ｂｙ１）  座標（ｂｘ２，ｂｙ２）」に再設定する（図１４（ｂ））。そして、表示画像形成部１０４は、当該左フリック操作により指定されたページ「２」のホームビュー領域（図１４（ａ）左）を表示部４０に表示する（図１４（ａ）右）（以下、この状態を状態Ｃ８とする）。すなわち、本実施形態にかかる表示部４０は、ページ指定受付部１０１において一のページの指定を受け付けた場合には、その指定前において表示中であったページのうちのいかなる領域を表示していたかに関わらず、当該指定されたページのうち、ホームビュー情報で定められた領域を表示することを特徴としている。
【００６２】
また、本実施形態にかかるページ指定受付部１０１は、現在表示されているページと同じページを指定する表示領域復元指示を受け付けてもよい。ここで、表示領域復元指示は、例えば、ユーザによるダブルタップ操作（指先でタッチスクリーンを二回たたく操作）により操作部３０を介して入力されるものとする。
ここで、ページ指定受付部１０１が、状態Ｃ４〜Ｃ７のいずれかの状態から、表示領域復元指示を受け付けたとする。この時、ページ指定受付部１０１は、現在表示中のページ（ページ「１」）と同じ番号（ページ「１」）を指定して現在ページ番号記憶部２０１に改めて登録する。表示領域変更指示受付部１０２は、状態Ｃ４〜Ｃ７のいずれの状態であったかに関わらず、現在表示領域をホームビュー領域「座標（ｂｘ１，ｂｙ１）  座標（ｂｘ２，ｂｙ２）」に再設定する。すなわち、本実施形態による電子データ表示装置１は、表示領域復元指示を入力した場合には、その操作前において表示中であったページのうちのいかなる領域を表示していたかに関わらず、その表示中であったページのうち、ホームビュー情報で定められた領域を表示する。
【００６３】
図１５は、本実施形態において、記憶部２０に登録されるデータ構成の例を示す第二の図である。
本実施形態による電子データ表示装置１では、記憶部２０に登録される設定ホームビューは一つのみであったが、本実施形態においては、図１５に示すように複数の設定ホームビュー記憶部２０３１、２０３２が、それぞれ独立したホームビュー情報を登録できるようにしてもよい。すなわち、ユーザが電子データ表示装置１を縦方向に持って電子データを閲覧していた場合において設定ホームビュー記憶部２０３１に登録されたホームビュー情報が適用されていたとする（状態Ｃ１〜Ｃ３の何れかの状態（図６〜図８））。この状態からユーザが横方向に持ち替えたとき、本実施形態による電子データ表示装置１は、所定の加速度センサ等で当該「持ち替え」を検知して、設定ホームビュー記憶部２０３２に登録されたホームビュー情報を参照して自動的に適用する（状態４（図９）に遷移する）ようにしてもよい。同様に、ユーザが横方向から縦方向に持ち替えた場合にも、状態Ｃ４〜Ｃ７の何れかの状態（図９〜図１３）から状態Ｃ１（図６）へと自動的に遷移するようにしてもよい。
【００６４】
図１６は、本実施形態による電子データ表示装置１における処理の流れをまとめた第一のチャート図である。
以上に説明した電子データ表示装置１における処理の流れについて、図１６を参照しながら順を追って説明する。なお、図１６において「座標（ａｘ１，ａｙ１）  座標（ａｘ２，ａｙ２）」は、ここで説明する電子データ表示装置１に登録されているホームビュー領域を示している。また、「座標（ｘ１，ｙ１）  座標（ｘ２，ｙ２）」、「座標（ｘ３，ｙ３）  座標（ｘ４，ｙ４）」は、それぞれユーザ操作による表示領域変更指示に基づいて指定された所定の矩形領域を示している。
【００６５】
まず初期状態として、記憶部２０の現在ページ番号記憶部２０１には、ページ「１」が登録されている。また、現在表示領域記憶部２０２には、設定ホームビュー記憶部２０３に登録されているホームビュー領域「座標（ａｘ１，ａｙ１）  座標（ａｘ２，ａｙ２）」が登録されている。表示画像形成部１０４は、当該記憶部２０のデータを参照し、表示部４０にページ「１」のホームビュー領域を表示させる（ステップＳ１０）。なおステップＳ１０は、図６における状態Ｃ１と同等の状態である。
【００６６】
次に、この段階において、操作部３０が次ページ移動指示を入力したとする。すると、ページ指定受付部１０１は、現在ページ番号記憶部２０１にページ「２」を登録する（矢印Ａ１００）。表示画像形成部１０４は当該記憶部２０のデータを参照し、表示部４０にページ「２」のホームビュー領域を表示させる（ステップＳ１２）。
【００６７】
一方、ステップＳ１０の段階で操作部３０が表示領域変更指示を入力したとする。なお、当該表示領域変更指示は、上記に説明した自由移動指示、拡大縮小指示または読み進め指示等である。すると、表示領域変更指示受付部１０２は、当該表示領域変更指示に基づいて、現在表示領域記憶部２０２に新たな現在表示領域「座標（ｘ１，ｙ１）  座標（ｘ２，ｙ２）」を登録する（矢印Ａ１０１）。表示画像形成部１０４は、当該記憶部２０のデータを参照し、表示部４０にページ「１」において変更された現在表示領域を表示させる（ステップＳ１１）。なおステップＳ１１は、図７及び図８における状態Ｃ２、Ｃ３と同等の状態である。
【００６８】
次にステップＳ１１の状態から、操作部３０が次ページ移動指示を入力したとする。すると、まずページ指定受付部１０１は、現在ページ番号記憶部２０１にページ「２」を登録する。またこの時、ホームビュー情報取得部１０３は、設定ホームビュー記憶部２０３からホームビュー情報を取得して表示領域変更指示受付部１０２に出力する。そして、表示領域変更指示受付部１０２が、現在表示領域記憶部２０２にホームビュー領域「座標（ａｘ１，ａｙ１）  座標（ａｘ２，ａｙ２）」を登録する（矢印Ａ１０２）。表示画像形成部１０４は当該記憶部２０のデータを参照し、表示部４０にページ「２」のホームビュー領域を表示させる（ステップＳ１２）。
このように、本実施形態による電子データ表示装置１は、表示部４０においてページ中のいかなる領域が表示されていたとしても、次ページ移動指示を入力すると、次ページのホームビュー領域を表示する。
【００６９】
なお、ページ「２」からページ「３」への推移（ステップＳ１２〜Ｓ１４）についても上記と同様の手順で行われる。
【００７０】
図１７は、本実施形態による電子データ表示装置１における処理の流れをまとめた第二のチャート図である。
図１７では、前ページ移動指示及び表示領域復元指示に基づいて、図１６に説明した流れと逆方向の処理の流れについて説明する。なお、図１７においての「座標（ａｘ１，ａｙ１）  座標（ａｘ２，ａｙ２）」及び「座標（ｘ１，ｙ１）  座標（ｘ２，ｙ２）」、「座標（ｘ３，ｙ３）  座標（ｘ４，ｙ４）」の示す意味は、図１６にて示すものと同等である。
【００７１】
まず、表示部４０がページ「２」のホームビュー領域を表示している状態であったとする（ステップＳ１２）。
次に、この段階において、操作部３０が前ページ移動指示を入力したとする。すると、ページ指定受付部１０１は、現在ページ番号記憶部２０１にページ「１」を登録する（矢印Ａ１０３）。表示画像形成部１０４は当該記憶部２０のデータを参照し、表示部４０にページ「１」のホームビュー領域を表示させる（ステップＳ１０）。
【００７２】
また、表示部４０が、ページ「２」のうち、ホームビューから変更された領域「座標（ｘ１，ｙ１）  座標（ｘ２，ｙ２）」を表示している状態であったとする（ステップＳ１３）。次に、この段階において操作部３０が前ページ移動指示を入力したとする。すると、まずページ指定受付部１０１が、現在ページ番号記憶部２０１にページ「１」を登録する。またこの時、ホームビュー情報取得部１０３は、設定ホームビュー記憶部２０３からホームビュー情報を取得して表示領域変更指示受付部１０２に出力する。そして、表示領域変更指示受付部１０２が、現在表示領域記憶部２０２にホームビュー領域「座標（ａｘ１，ａｙ１）  座標（ａｘ２，ａｙ２）」を登録する（矢印Ａ１０４）。表示画像形成部１０４は当該記憶部２０のデータを参照し、表示部４０にページ「１」のホームビュー領域を表示させる（ステップＳ１０）。
このように、本実施形態による電子データ表示装置１は、表示部４０における表示状態がいかなる状態であっても、前ページ移動指示を入力すると、前ページのホームビュー領域を表示する。
【００７３】
一方、表示部４０が、ページ「１」のうち、ホームビューから変更された領域「座標（ｘ１，ｙ１）  座標（ｘ２，ｙ２）」を表示している状態であったとする（ステップＳ１１）。次に、この段階において、操作部３０が表示領域復元指示を入力したとする。すると、ページ指定受付部１０１が現在表示中のページの指定を受け付けるとともに、ホームビュー情報取得部１０３は、設定ホームビュー記憶部２０３からホームビュー情報を取得して表示領域変更指示受付部１０２に出力する。そして、表示領域変更指示受付部１０２が、現在表示領域記憶部２０２にホームビュー領域「座標（ａｘ１，ａｙ１）  座標（ａｘ２，ａｙ２）」を登録する（矢印Ａ１０５）。表示画像形成部１０４は当該記憶部２０のデータを参照し、表示部４０にページ「１」のホームビュー領域を表示させる（ステップＳ１０）。
このように、本実施形態による電子データ表示装置１は、現在表示領域がホームビュー領域から変更された状態であっても、ユーザが表示領域復元指示を入力すると、その表示中のページのホームビュー領域を再表示する。
【００７４】
図１８は、本実施形態による電子データ表示装置１における処理の流れをまとめた第三のチャート図である。
電子データ表示装置１における処理の流れについて図１６と異なる例を、図１８を参照しながら順を追って説明する。なお、図１８においての「座標（ａｘ１，ａｙ１）  座標（ａｘ２，ａｙ２）」及び「座標（ｘ５，ｙ５）  座標（ｘ６，ｅｎｄ＿ｙ）」の示す意味は、図１６、図１７にて示すものと同等である。ただし、“ｅｎｄ＿ｙ”はページの底辺を示すＹ座標の値である。
【００７５】
図１８において、矢印Ａ１００〜Ａ１０２に示す処理の流れは、図１６にて説明したものと同等である。ここで電子データ表示装置１がステップＳ１０の段階から表示領域変更指示を受けた後（矢印Ａ１０１）、当該指定に基づく現在表示領域の下端がページ「１」の底辺に接している状態にあったとする（ステップＳ１１’）。そして、この段階で操作部３０が「読み進め指示」を入力したとする。このとき、本実施形態による電子データ表示装置１は、次ページ移動指示（矢印Ａ１０２）と同様に、次ページのホームビュー領域を表示する（矢印Ａ１０３）。すなわち本実施形態においては、現在表示領域が表示中のページの底辺部を表示している場合に「読み進め指示」を入力した場合は、次ページのホームビュー領域に遷移してもよい。
【００７６】
以上のとおり、本実施形態による電子データ表示装置１は、表示部４０に表示される領域が表示中のページのいかなる領域であったとしても、表示中のページを次ページへ送る操作を行うと、必ず次ページのホームビュー領域が表示されることを特徴としている（図１４）。したがって、ページ送りの度に、拡大操作やページ先頭位置まで表示位置をずらす必要がなくなる。よって、ユーザはより簡便な操作のみで文書を読み進めることができるようになる。
【００７７】
また、本実施形態による電子データ表示装置１は、設定したホームビューに関わらず、当該ホームビュー領域以外の領域であっても、ユーザによる表示領域変更操作に基づいて任意の領域を表示させることができる（図７）。したがって、ユーザは、ホームビュー領域以外の領域に記載された章タイトル等の内容を確認したいときにも、簡便な操作のみで確認することができるし、ホームビュー領域が表示されていた状態よりもさらに拡大して文字や画像を確認したいときにも、簡便な操作のみで確認することができる。
【００７８】
また、本実施形態による電子データ表示装置１は、現在表示領域を、表示中の領域から一画面分だけ下にスライドさせる読み進め指示を受け付けることを特徴としている（図１０、図１１、図１３）。このようにすれば、ユーザは、表示されていた本文の内容の続きを表示したいときに、当該読み進め指示を入力するのみで一画面下の本文の内容を表示させることができる。
【００７９】
また、本実施形態による電子データ表示装置１は、現在表示領域が表示中のページの底辺部を表示している場合に読み進め指示を受け付けた場合には、次ページ移動指示を受け付けた場合と同等の処理を行うことを特徴としている（図１８）。このようにすれば、ユーザは読み進め指示だけで全本文を読み進めることができるので、操作の簡便性をさらに向上させることができる。
【００８０】
また、本実施形態による電子データ表示装置１は、ユーザによる表示領域復元指示を入力した場合には、その操作前において表示中であったページのうちのいかなる領域を表示していたかに関わらず、その表示中であったページのうち、ホームビュー情報で定められた領域を表示する（図１７）。このようにすれば、ユーザは、表示中の領域を一旦ホームビュー領域から変更した後において、再度ホームビュー領域の内容を確認したいときに、当該表示領域復元指示を入力するのみでホームビュー領域を再表示させることができる。
【００８１】
以上、本実施形態による電子データ表示装置１によれば、ユーザによる電子データ閲覧時の操作の負担を軽減するという効果が得られる。
【００８２】
＜第二の実施形態＞
以下、本発明の第二の実施形態による電子データ表示装置を、図面を参照して説明する。なお、第一の実施形態による電子データ表示装置１と同一の構成要素については、同一の符号を付して説明を簡略化する。
【００８３】
図１９は、本実施形態による電子データ表示装置１の具体的な構成例を示す図である。
上記において説明した電子データ表示装置１について、図１９を用いてより詳細に説明する。図１９に示す通り、電子データ表示装置１は、演算部１０、記憶部２０、操作部３０及び表示部４０を備えている。
以下、本実施形態による電子データ表示装置１において、第一の実施形態と異なる要素について説明する。なお、以下において説明していない共通要素については、第一の実施形態で説明したものと同一の機能を有しているものとする。
【００８４】
本実施形態にかかるホームビュー情報取得部１０３は、一のページについてそれぞれ異なる領域を定義する複数のホームビュー情報を取得する。
また、本実施形態にかかる演算部１０は、第一の実施形態に加え、ホームビュー指定受付部１０５を備えている。ホームビュー指定受付部１０５は、一のページについて複数のホームビュー情報が登録されている場合において、複数のホームビュー情報のうちいずれか一のホームビュー情報の指定（ホームビュー指定操作）を受け付けるものである。ホームビュー指定受付部１０５の具体的機能ついては後述する。
【００８５】
図２０は、本実施形態において、記憶部２０に登録されるデータ構成の例を示す図である。
本実施形態にかかる設定ホームビュー記憶部２０３には、ある一つの電子データ２０４について複数のホームビュー情報が登録される。ここで、設定ホームビュー記憶部２０３には、当該複数のホームビュー情報とともに、これらを識別するためのホームビュー識別子を付して登録される（図２０）。
【００８６】
また、本実施形態にかかる記憶部２０は、第一の実施形態に加え、現在ホームビュー記憶部２０５を備えている。現在ホームビュー記憶部２０５は、設定ホームビュー記憶部２０３において複数のホームビュー情報が登録されている場合において、いずれのホームビュー情報を有効とするかを記憶するものである。本実施形態において、ここで「有効」とされたホームビュー情報は、第一の実施形態で説明したホームビュー情報と同等の役割を持つ。現在ホームビュー記憶部２０５は、ホームビュー情報に付して記憶されたホームビュー識別子が登録される。
【００８７】
図２１は、本実施形態において、記憶部２０に登録されたデータに基づいて表される各種領域のイメージを示す図である。
記憶部２０において図２０に示したようなデータが登録されている場合、各種領域が指定する範囲は、図２１に示すように表される。ここで本実施形態にかかる電子データ２０４は、複数のページからなる横組みかつ左右二段組で構成される電子文書であるとする（図２１の二点鎖線で示される文書データ）。そして、ページの左上頂点を座標（０，０）、右下頂点を座標（ｅｎｄ＿ｘ，ｅｎｄ＿ｙ）と定めるものとする。
【００８８】
図２０における現在ページ番号記憶部２０１では、ページ番号が「１」と登録されており、また、現在表示領域記憶部２０２では、座標データが「座標（ｘ１，ｙ１）  座標（ｘ２，ｙ２）」と登録されている。このような場合、実際に表示部４０の画面に描画される領域（現在表示領域）は、図２１の破線で示される領域（電子データ２０４のページ「１」中、「座標（ｘ１，ｙ１）  座標（ｘ２，ｙ２）」で区画される矩形領域）となる。
【００８９】
また、図２０における設定ホームビュー記憶部２０３では、ホームビューＡが「座標（ａｘ１，ａｙ１）  座標（ａｘ２，ａｙ２）」として、ホームビューＢが「座標（ｂｘ１，ｂｙ１）  座標（ｂｘ２，ｂｙ２）」として登録されている。この場合におけるホームビューＡ領域は、図２０の一点鎖線で示される領域（電子データ２０４の各ページにおいて「座標（ａｘ１，ａｙ１）  座標（ａｘ２，ａｙ２）」で区画される矩形領域）となる。同様に、ホームビューＢ領域は、他の一点鎖線で示される領域（電子データ２０４の各ページにおいて「座標（ｂｘ１，ｂｙ１）  座標（ｂｘ２，ｂｙ２）」で区画される矩形領域）となる。なお、本実施の形態において、設定ホームビュー記憶部２０３に登録されるホームビューは、電子データ２０４における全ページに渡って共通に設定される。
【００９０】
図２２は、本実施形態において、ホームビュー機能を有効にしたときの状態を示す図である。
本実施形態においては、電子データ２０４は左右二段組みで構成される。そこでユーザは、操作部３０を介して、左段又は右段を構成する一行の文が表示部４０の幅いっぱいに表示されるように、左段、右段それぞれに対応するホームビューを設定する入力操作を行う。ホームビュー情報取得部１０３は、当該入力操作に基づいて入力された複数のホームビュー情報（ホームビューＡ、Ｂ）を取得し、設定ホームビュー記憶部２０３に登録する。また、現在ホームビュー記憶部２０５は、上記複数設定されたホームビュー情報（ホームビューＡ、Ｂ）のうち、有効とするホームビュー情報のホームビュー識別子（「Ａ」）を登録する。ユーザがこのようなホームビュー設定操作を行い、「ホームビュー機能」を有効とした状態で、電子データ２０４を表示した最初の状態について図２２を用いて説明する。
【００９１】
この場合、電子データ表示装置１は、図２２（ｂ）に示すように、記憶部２０の現在ページ番号記憶部２０１に、その最初のページであるページ「１」を、現在表示領域記憶部２０２には、ホームビューＡ領域「座標（ａｘ１，ａｙ１）  座標（ａｘ２，ａｙ２）」を登録する。すなわち、電子データ表示装置１は、ユーザ操作によりホームビューが複数設定された際には、電子データ２０４の各ページにおける複数のホームビュー領域のうち、現在ホームビュー記憶部２０５に登録されたホームビュー情報が現在表示領域となるように、記憶部２０に各設定値を登録する（図２２（ａ）左）。表示画像形成部１０４は、記憶部２０において上記のように登録された現在表示領域に基づいて表示部４０に電子データ２０４のページ「１」におけるホームビューＡ領域を表示画面いっぱいに拡大して表示する（図６（ａ）右）（以下、この状態を状態Ｃ９とする）。
電子データ表示装置１は、この機能により、あたかも最初から電子データ２０４のページが本文左段のみで構成されているかのように、本文左段だけを拡大して表示することができる。
【００９２】
図２３は、本実施形態において、表示部４０に表示された領域を読み進め指示により変更した後の状態を示す図である。
次に、表示領域変更指示受付部１０２が、図２２に示す状態Ｃ９の状態から、ユーザの上フリック操作により読み進め指示を受け付けたとする。表示領域変更指示受付部１０２は、この読み進め指示により現在表示領域を「座標（ａｘ１，ａｙ１）  座標（ａｘ２，ａｙ２）」から「座標（ａｘ１，ｙ１）  座標（ａｘ２，ｙ２）」へと変更する（Ｘ軸の値は固定）（図２３（ｂ））。ここでＹ軸の値（ｙ１、ｙ２）は、現在表示領域の縦方向の大きさ（状態Ｃ９においては、ａｙ２からａｙ１を引いた値。これをΔｙと置く）を初期値（ａｙ１、ａｙ２）にそれぞれ加算した値である。そして、表示画像形成部１０４は、図２３（ａ）に示すように、当該上フリック操作により指示された領域（図２３（ａ）左）を表示部４０に表示する（図２３（ａ）右）（以下、この状態を状態Ｃ１０とする）。
このように、本実施形態による電子データ表示装置１は、表示部４０が表示する領域の大きさを維持したまま、表示部４０が表示する領域の位置を、矩形である表示領域の辺の長さに応じた距離だけ下方向に移動する読み進め指示を受け付ける。
また、表示領域変更指示受付部１０２は、上記スライド幅（Δｙ）から所定値（ｎ）を差し引いた値を初期値に加算してもよい。こうすることにより、読み進め指示入力前の現在表示領域と、読み進め指示入力によりほぼ一画面分下にスライドした現在表示領域が若干の幅（ｎ）だけ重なることとなる。このようにすれば、ユーザは読み進め前後において、本文の連続性を認知しながらストレスなく読み進めることができる。
また図示しないが、本実施形態においても、第一の実施形態と同様、下フリック操作による読み戻り指示を受け付けてもよい。また、第一の実施形態で説明した自由移動指示、拡大縮小移動指示を受け付け、表示中のページの任意の領域を表示することができてもよい。
【００９３】
図２４は、本実施形態において、有効とするホームビュー情報を次ホームビュー移動指示により変更した後の状態を示す図である。
次に、本実施形態にかかるホームビュー指定受付部１０５が、状態Ｃ９〜Ｃ１０のいずれかの状態から、ユーザの二本指による左フリック操作により次ホームビュー移動指示を受け付けたとする。この時、ホームビュー指定受付部１０５は、現在有効となっているホームビュー情報（ホームビューＡ）と異なるホームビュー情報（ホームビューＢ）を指定して現在ホームビュー記憶部２０５に登録する。また、表示領域変更指示受付部１０２は、状態Ｃ９〜Ｃ１０のいずれの状態であったかに関わらず、現在表示領域をホームビューＢ領域「座標（ｂｘ１，ｂｙ１）  座標（ｂｘ２，ｂｙ２）」に再設定する（図２４（ｂ））。そして、表示画像形成部１０４は、当該二本指による左フリック操作により指示されたホームビューＢ領域（図２４（ａ）左）を表示部４０に表示する（図２４（ａ）右）（以下、この状態を状態Ｃ１１とする）。すなわち、本実施形態にかかる表示部４０は、ホームビュー指定受付部１０５において一のホームビュー情報の指定を受け付けた場合には、その指定前において表示中であったページのうちのいかなる領域を表示していたかに関わらず、当該表示中のページのうち、当該指定されたホームビュー情報で定められた領域（ホームビューＢ領域）を表示することを特徴としている。
【００９４】
図２５は、本実施形態による電子データ表示装置１における処理の流れをまとめた第一のチャート図である。
以上に説明した電子データ表示装置１における処理の流れについて、図２５を参照しながら順を追って説明する。なお、図２５において「座標（ａｘ１，ａｙ１）  座標（ａｘ２，ａｙ２）」、「座標（ｂｘ１，ｂｙ１）  座標（ｂｘ２，ｂｙ２）」は、それぞれここで説明する電子データ表示装置１に登録されているホームビューＡ領域及びホームビューＢ領域を示している。また、「座標（ｘ１，ｙ１）  座標（ｘ２，ｙ２）」、「座標（ｘ３，ｙ３）  座標（ｘ４，ｙ４）」、「座標（ｘ５，ｙ５）  座標（ｘ６，ｙ６）」、「座標（ｘ７，ｙ７）  座標（ｘ８，ｙ８）」は、それぞれユーザ操作による表示領域変更指示に基づいて指定された所定の矩形領域を示している。
【００９５】
まず初期状態として、記憶部２０の現在ページ番号記憶部２０１には、ページ「１」が登録されており、現在ホームビュー記憶部２０５には、ホームビュー「Ａ」が登録されている。また、現在表示領域記憶部２０２には、設定ホームビュー記憶部２０３に登録されているホームビューＡ領域「座標（ａｘ１，ａｙ１）  座標（ａｘ２，ａｙ２）」が登録されている。表示画像形成部１０４は、当該記憶部２０のデータを参照し、表示部４０にページ「１」のホームビュー領域を表示させる（ステップＳ２０）。なおステップＳ２０は、図２２における状態Ｃ９と同等の状態である。
【００９６】
次に、この段階において、操作部３０が次ページ移動指示を入力したとする。すると、ページ指定受付部１０１は、現在ページ番号記憶部２０１にページ「２」を登録する（矢印Ａ２００）。表示画像形成部１０４は当該記憶部２０のデータを参照し、表示部４０にページ「２」のホームビューＡ領域を表示させる（ステップＳ２４）。
【００９７】
一方、ステップＳ２０の段階で、操作部３０が次ホームビュー移動指示を入力したとする。すると、ホームビュー指定受付部１０５は、現在ホームビュー記憶部２０５にホームビュー「Ｂ」を登録する（矢印Ａ２０１）。表示画像形成部１０４は当該記憶部２０のデータを参照し、表示部４０にページ「２」のホームビューＢ領域を表示させる（ステップＳ２２）。なおステップＳ２２は、図２４における状態Ｃ１１と同等の状態である。
【００９８】
一方、ステップＳ２０の段階で、操作部３０が表示領域変更指示を入力したとする。なお、当該表示領域変更指示は、第一の実施形態等で説明した自由移動指示、拡大縮小指示または読み進め指示等である。すると、表示領域変更指示受付部１０２は、当該表示領域変更指示に基づいて、現在表示領域記憶部２０２に新たな現在表示領域「座標（ｘ１，ｙ１）  座標（ｘ２，ｙ２）」を登録する（矢印Ａ２０２）。表示画像形成部１０４は、当該記憶部２０のデータを参照し、表示部４０にページ「１」において変更された現在表示領域を表示させる（ステップＳ２１）。なおステップＳ２１は、図２３における状態Ｃ１０と同等の状態である。
【００９９】
次に、ステップＳ２１の状態から、操作部３０が次ページ移動指示を入力したとする。すると、まずページ指定受付部１０１は、現在ページ番号記憶部２０１にページ「２」を登録する。またこの時、ホームビュー情報取得部１０３は、設定ホームビュー記憶部２０３からホームビューＡ情報を取得して表示領域変更指示受付部１０２に出力する。そして、表示領域変更指示受付部１０２が、現在表示領域記憶部２０２にホームビューＡ領域「座標（ａｘ１，ａｙ１）  座標（ａｘ２，ａｙ２）」を登録する（矢印Ａ２０３）。表示画像形成部１０４は当該記憶部２０のデータを参照し、表示部４０にページ「２」のホームビューＡ領域を表示させる（ステップＳ２４）。
このように、本実施形態による電子データ表示装置１は、表示部４０においてページ中のいかなる領域が表示されていたとしても、次ページ移動指示を入力すると、次ページのホームビュー領域を表示する。
【０１００】
一方、ステップＳ２１の段階で、操作部３０が次ホームビュー移動指示を入力したとする。すると、まずホームビュー指定受付部１０５が、現在ホームビュー記憶部２０５にホームビュー「Ｂ」を登録する。またこの時、ホームビュー情報取得部１０３は、設定ホームビュー記憶部２０３からホームビューＢ情報を取得して表示領域変更指示受付部１０２に出力する。そして、表示領域変更指示受付部１０２が、現在表示領域記憶部２０２にホームビューＢ領域「座標（ｂｘ１，ｂｙ１）  座標（ｂｘ２，ｂｙ２）」を登録する（矢印Ａ２０４）。表示画像形成部１０４は当該記憶部２０のデータを参照し、表示部４０にページ「２」のホームビューＢ領域を表示させる（ステップＳ２２）。
このように、本実施形態による電子データ表示装置１は、表示部４０においてページ中のいかなる領域が表示されていたとしても、次ホームビュー移動指示を入力すると、表示中のページにおける次ホームビュー領域を表示する。
【０１０１】
次に、ステップＳ２２の状態から、操作部３０が次ページ移動指示を入力したとする。すると、ページ指定受付部１０１は、現在ページ番号記憶部２０１にページ「２」を登録するとともに、ホームビュー指定受付部１０５が、現在ホームビュー記憶部２０５にホームビュー「Ａ」を登録する。またこの時、ホームビュー情報取得部１０３は、設定ホームビュー記憶部２０３からホームビューＡ情報を取得して表示領域変更指示受付部１０２に出力する。そして、表示領域変更指示受付部１０２が、現在表示領域記憶部２０２にホームビューＡ領域「座標（ａｘ１，ａｙ１）  座標（ａｘ２，ａｙ２）」を登録する（矢印Ａ２０５）。表示画像形成部１０４は当該記憶部２０のデータを参照し、表示部４０にページ「２」のホームビューＡ領域を表示させる（ステップＳ２４）。
このように、本実施形態による電子データ表示装置１は、ページ指定受付部１０１において一のページの指定を受け付けた場合には、当該指定されたページのうち、複数のホームビュー情報の中から予め定められた一のホームビュー情報で定められた領域を表示することを特徴とする。すなわち、本実施形態の場合、表示部４０において複数のホームビューのうちのいずれが有効となっていたとしても、次ページ移動指示を入力すると、最初のホームビュー領域（ホームビューＡ）を有効にし、次ページにおける当該ホームビュー領域を表示する。
【０１０２】
一方、ステップＳ２２の段階で、操作部３０が次ホームビュー移動指示を入力したとする。すると、現在表示中のページに次のホームビュー情報が存在しないため、本実施形態による電子データ表示装置１は、次ページ移動指示を受け付けた場合と同じ処理を行う（矢印Ａ２０６）。
このように、本実施形態による電子データ表示装置１は、次ホームビュー移動指示を受け付けたときにその先のホームビューが存在しない場合には、最初のホームビュー領域（ホームビューＡ）を有効にし、次ページにおける当該ホームビュー領域を表示する。
【０１０３】
一方、ステップＳ２２の段階で、操作部３０が表示領域変更指示を入力したとする。すると、表示領域変更指示受付部１０２は、当該表示領域変更指示に基づいて、現在表示領域記憶部２０２に新たな現在表示領域「座標（ｘ１，ｙ１）  座標（ｘ２，ｙ２）」を登録する（矢印Ａ２０７）。表示画像形成部１０４は、当該記憶部２０のデータを参照し、表示部４０にページ「１」において変更された現在表示領域を表示させる（ステップＳ２３）。
このように、本実施形態による電子データ表示装置１は、有効となっているホームビューに関わらず、表示領域変更指示によってページ中のいかなる領域でも自由に表示することができる。
【０１０４】
次に、ステップＳ２３の状態から、操作部３０が次ページ移動指示を入力したとする。すると、ページ指定受付部１０１は、現在ページ番号記憶部２０１にページ「２」を登録するとともに、ホームビュー指定受付部１０５が、現在ホームビュー記憶部２０５にホームビュー「Ａ」を登録する。またこの時、ホームビュー情報取得部１０３は、設定ホームビュー記憶部２０３からホームビューＡ情報を取得して表示領域変更指示受付部１０２に出力する。そして、表示領域変更指示受付部１０２が、現在表示領域記憶部２０２にホームビューＡ領域「座標（ａｘ１，ａｙ１）  座標（ａｘ２，ａｙ２）」を登録する（矢印Ａ２０８）。表示画像形成部１０４は当該記憶部２０のデータを参照し、表示部４０にページ「２」のホームビューＡ領域を表示させる（ステップＳ２４）。
【０１０５】
一方、ステップＳ２３の段階で、操作部３０が次ホームビュー移動指示を入力したとする。すると、現在表示中のページに次のホームビューが存在しないため、本実施形態による電子データ表示装置１は、次ページ移動指示を受け付けた場合と同じ処理を行う（矢印Ａ２０９）。
【０１０６】
なお、ページ「２」からページ「３」への推移（ステップＳ２４〜Ｓ２８）についても上記と同様の手順で行われる。
【０１０７】
図２６は、本実施形態による電子データ表示装置１における処理の流れをまとめた第二のチャート図である。
図２６では、前ページ移動指示、前ホームビュー領域移動指示及び表示領域復元指示に基づいて、図２５に説明した流れと逆方向の処理の流れについて説明する。なお、図２６においての「座標（ａｘ１，ａｙ１）  座標（ａｘ２，ａｙ２）」、「座標（ｂｘ１，ｂｙ１）  座標（ｂｘ２，ｂｙ２）」及び「座標（ｘ１，ｙ１）  座標（ｘ２，ｙ２）」、「座標（ｘ３，ｙ３）  座標（ｘ４，ｙ４）」、「座標（ｘ５，ｙ５）  座標（ｘ６，ｙ６）」「座標（ｘ７，ｙ７）  座標（ｘ８，ｙ８）」の示す意味は、図２５にて示すものと同等である。
【０１０８】
まず、表示部４０がページ「２」のホームビューＡ領域を表示している状態であったとする（ステップＳ２４）。次にこの段階で、操作部３０が前ページ移動指示を入力したとする。すると、ページ指定受付部１０１は、現在ページ番号記憶部２０１にページ「１」を登録する（矢印Ａ２１０）。表示画像形成部１０４は当該記憶部２０のデータを参照し、表示部４０にページ「１」のホームビューＡ領域を表示させる（ステップＳ２０）。
なお、本実施形態による電子データ表示装置１は、ページ「２」が表示中のいずれの状態（ステップＳ２４〜Ｓ２７）においても、前ページ移動指示を入力した場合には、常にページ「１」のホームビューＡ領域を表示する（矢印Ａ２１０〜Ａ２１３）。
【０１０９】
一方、表示部４０がページ「１」のホームビューＢ領域を表示している状態（ステップＳ２２）において、操作部３０が前ホームビュー移動指示を入力したとする。すると、まずホームビュー指定受付部１０５は、現在ホームビュー記憶部２０５にホームビュー「Ａ」を登録する。またこの時、ホームビュー情報取得部１０３は、設定ホームビュー記憶部２０３からホームビューＡ情報を取得して表示領域変更指示受付部１０２に出力する。そして、表示領域変更指示受付部１０２が、現在表示領域記憶部２０２にホームビューＡ領域「座標（ａｘ１，ａｙ１）  座標（ａｘ２，ａｙ２）」を登録する（矢印Ａ２１４）。表示画像形成部１０４は当該記憶部２０のデータを参照し、表示部４０にページ「１」のホームビューＡ領域を表示させる（ステップＳ２０）。
なお、本実施形態による電子データ表示装置１は、ページ「１」が表示中であって、ホームビューＢが有効な状態で、現在表示領域が任意に変更されていた場合（ステップＳ２３）においても、前ホームビュー移動指示を入力した場合には、常にページ「１」のホームビューＡ領域を表示する（矢印Ａ２１５）。
【０１１０】
一方、表示部４０がページ「２」のホームビューＡ領域を表示している状態（ステップＳ２４）において、操作部３０が前ホームビュー移動指示を入力したとする。この場合、現在表示中のページに前のホームビュー情報が存在しないので、まず、ページ指定受付部１０１は、現在ページ番号記憶部２０１に一つ前のページ「１」を登録する。また、ホームビュー指定受付部１０５は、現在ホームビュー記憶部２０５にホームビュー「Ｂ」を登録する。またこの時、ホームビュー情報取得部１０３は、設定ホームビュー記憶部２０３からホームビューＢ情報を取得して表示領域変更指示受付部１０２に出力する。そして、表示領域変更指示受付部１０２が、現在表示領域記憶部２０２にホームビューＢ領域「座標（ｂｘ１，ｂｙ１）  座標（ｂｘ２，ｂｙ２）」を登録する（矢印Ａ２１６）。表示画像形成部１０４は当該記憶部２０のデータを参照し、表示部４０にページ「１」のホームビューＢ領域を表示させる（ステップＳ２２）。
なお、本実施形態による電子データ表示装置１は、ページ「２」が表示中であって、ホームビューＡが有効な状態で、現在表示領域が任意に変更されていた場合（ステップＳ２５）においても、前ホームビュー移動指示を入力した場合には、常にページ「１」のホームビューＢ領域を表示する（矢印Ａ２１７）。
【０１１１】
また、表示部４０が、ページ「１」を表示中かつホームビューＡが有効であったときに、ホームビューＡから変更された領域「座標（ｘ１，ｙ１）  座標（ｘ２，ｙ２）」を表示している状態であったとする（ステップＳ２１）。次にこの状態において、操作部３０が表示領域復元指示を入力したとする。すると、ページ指定受付部１０１が現在表示中のページの指定を受け付けるとともに、ホームビュー情報取得部１０３は、設定ホームビュー記憶部２０３からホームビューＡ情報を取得して表示領域変更指示受付部１０２に出力する。そして、表示領域変更指示受付部１０２が、現在表示領域記憶部２０２にホームビュー領域「座標（ａｘ１，ａｙ１）  座標（ａｘ２，ａｙ２）」を登録する（矢印Ａ２１８）。表示画像形成部１０４は当該記憶部２０のデータを参照し、表示部４０にページ「１」のホームビューＡ領域を表示させる（ステップＳ２０）。
一方、表示部４０が、ページ「１」を表示中かつホームビューＢが有効であったときに、ホームビューＢから変更された領域「座標（ｘ１，ｙ１）  座標（ｘ２，ｙ２）」を表示している状態であったとする（ステップＳ２３）。次にこの状態において、操作部３０が表示領域復元指示を入力したとする。すると、ページ指定受付部１０１が現在表示中のページの指定を受け付けるとともに、ホームビュー情報取得部１０３は、設定ホームビュー記憶部２０３からホームビューＢ情報を取得して表示領域変更指示受付部１０２に出力する。そして、表示領域変更指示受付部１０２が、現在表示領域記憶部２０２にホームビュー領域「座標（ｂｘ１，ｂｙ１）  座標（ｂｘ２，ｂｙ２）」を登録する（矢印Ａ２１９）。表示画像形成部１０４は当該記憶部２０のデータを参照し、表示部４０にページ「１」のホームビューＢ領域を表示させる（ステップＳ２２）。
このように、本実施形態による電子データ表示装置１は、現在表示領域がホームビュー領域から変更された状態であっても、ユーザが表示領域復元指示を入力すると、その表示中のページにおいて、その時点有効であったホームビュー領域を再表示する。
【０１１２】
なお、ページ「３」からページ「２」への推移についても上記と同様の手順で行われる。
【０１１３】
以上のとおり、本実施形態による電子データ表示装置１は、一のページについてそれぞれ異なる領域を定義する複数のホームビュー情報を登録することができる。したがって、上記の例のように、電子データが左右二段構成となっている場合であっても、それぞれの段ごとにホームビュー情報を登録することができる。
【０１１４】
また、本実施形態による電子データ表示装置１は、ホームビュー指定受付部１０５において一のホームビュー情報の指定を受け付けた場合には、その指定前において表示中であったページのうちのいかなる領域を表示していたかに関わらず、当該表示中のページのうち、当該指定されたホームビュー情報で定められた領域を表示する（図２４）。したがって、電子データが左右二段構成となっている場合であっても、ユーザは、より簡便な操作で複数のホームビューの切り替えを逐次行いながら、文書を読み進めることができるようになる。
【０１１５】
また、本実施形態による電子データ表示装置１は、ページ移動指示及びホームビュー移動指示の二種類の移動指示を受け付けるため、ユーザはこれらを使い分けることにより、より簡便かつ柔軟な読み進め操作を行うことができるようになる。
【０１１６】
なお、本実施形態において説明した「読み進め指示」（図２３）も、第一の実施形態で説明したような機能を有していてもよい。すなわち、ホームビューＡが有効となっている状態、かつ、現在表示領域の下端がページの底辺に接している状態で、電子データ表示装置１が読み進め指示を受け付けた場合には、当該ページの次ホームビュー（ホームビューＢ）領域を表示するようにしてもよい。また、ホームビューＢが有効となっている状態、かつ、現在表示領域の下端がページの底辺に接している状態で、電子データ表示装置１が読み進め指示を受け付けた場合には、次のページのホームビューＡ領域を表示するようにしてもよい。
【０１１７】
以上、本実施形態による電子データ表示装置１によれば、本文が同一ページ内において複数箇所に記載されるような電子データを閲覧する場合であっても、ユーザによる閲覧時の操作の負担を軽減するという効果が得られる。
【０１１８】
＜第三の実施形態＞
以下、本発明の第三の実施形態による電子データ表示装置を、図面を参照して説明する。なお、第一の実施形態及び第二の実施形態による電子データ表示装置１と同一の構成要素については、同一の符号を付して説明を簡略化する。
【０１１９】
本実施形態による電子データ表示装置１の構成は、第二の実施形態による電子データ表示装置１の構成と同一である。また、以下において説明していない共通要素については、第一の実施形態及び第二の実施形態で説明したものと同一の機能を有しているものとする。
【０１２０】
図２７は、本実施形態において、記憶部２０に登録されるデータ構成の例を示す図である。
まず、本実施形態にかかるホームビュー情報取得部１０３は、ホームビュー情報をページごとに対応付けて取得することを特徴とする。そして、ホームビュー情報取得部１０３は、本実施形態にかかる設定ホームビュー記憶部２０３に、当該対応するページ識別子を付してホームビュー情報を登録する。また、設定ホームビュー記憶部２０３には、第二の実施形態と同様に、当該ホームビュー情報とともに、これらを識別するためのホームビュー識別子を付して登録される（図２７）。
【０１２１】
図２８は、本実施形態において、記憶部２０に登録されたデータに基づいて表される各種領域のイメージを示す図である。
記憶部２０において図２７に示したようなデータが登録されている場合、各種領域が指定する範囲は、図２８に示すように表される。ここで本実施形態にかかる電子データ２０４は、ページごとに異なるレイアウトで構成される電子文書であるとする（図２８の二点鎖線で示される文書データ）。そして、ページの左上頂点を座標（０，０）、右下頂点を座標（ｅｎｄ＿ｘ，ｅｎｄ＿ｙ）と定めるものとする。
【０１２２】
図２７における現在ページ番号記憶部２０１では、ページ番号が「１」と登録されており、また、現在表示領域記憶部２０２では、座標データが「座標（ｘ１，ｙ１）  座標（ｘ２，ｙ２）」と登録されている。このような場合、実際に表示部４０の画面に描画される領域（現在表示領域）は、図２８の破線で示される領域（電子データ２０４のページ「１」中、「座標（ｘ１，ｙ１）  座標（ｘ２，ｙ２）」で区画される矩形領域）となる。
【０１２３】
また、図２７における設定ホームビュー記憶部２０３では、ページ「１」に対応するホームビューＡが「座標（ａｘ１，ａｙ１）  座標（ａｘ２，ａｙ２）」として登録されている。この場合におけるホームビューＡ領域は、ページ「１」における一点鎖線で示される領域（電子データ２０４の各ページにおいて「座標（ａｘ１，ａｙ１）  座標（ａｘ２，ａｙ２）」で区画される矩形領域）となる。
また、図２７における設定ホームビュー記憶部２０３では、ページ「２」に対応するホームビューＢ、Ｃがそれぞれ「座標（ｂｘ１，ｂｙ１）  座標（ｂｘ２，ｂｙ２）」、「座標（ｃｘ１，ｃｙ１）  座標（ｃｘ２，ｃｙ２）」として登録されている。この場合におけるホームビューＢ領域は、ページ「２」における一点鎖線で示される領域（電子データ２０４の各ページにおいて「座標（ｂｘ１，ｂｙ１）  座標（ｂｘ２，ｂｙ２）」で区画される矩形領域）となる。同様に、ホームビューＣ領域は、ページ「２」における他の一点鎖線で示される領域（電子データ２０４の各ページにおいて「座標（ｃｘ１，ｃｙ１）  座標（ｃｘ２，ｃｙ２）」で区画される矩形領域）となる。
また、図２７における設定ホームビュー記憶部２０３では、ページ「３」に対応するホームビューＤ、Ｅがそれぞれ「座標（ｄｘ１，ｄｙ１）  座標（ｄｘ２，ｄｙ２）」、「座標（ｅｘ１，ｅｙ１）  座標（ｅｘ２，ｅｙ２）」として登録されている。この場合におけるホームビューＤ領域は、ページ「３」における一点鎖線で示される領域（電子データ２０４の各ページにおいて「座標（ｄｘ１，ｄｙ１）  座標（ｄｘ２，ｄｙ２）」で区画される矩形領域）となる。同様に、ホームビューＥ領域は、ページ「３」における他の一点鎖線で示される領域（電子データ２０４の各ページにおいて「座標（ｅｘ１，ｅｙ１）  座標（ｅｘ２，ｅｙ２）」で区画される矩形領域）となる。
【０１２４】
そして、本実施の形態による電子データ表示装置１は、ページ指定受付部１０１において一のページの指定を受け付けた場合には、当該指定されたページのうち、当該指定されたページに対応付けられたホームビュー情報で定められた領域を表示することを特徴とする。すなわち図２８において、ページ「１」の現在表示領域が表示されていた状態から、ページ指定受付部１０１が次ページ移動指示を受け付けたとする。この場合には、表示画像形成部１０４は、表示部４０に、ページ「２」のうち、ページ「２」に対応する最初のホームビュー情報であるホームビューＢ領域を表示させる。
なお、本実施の形態において、同ページ内におけるホームビュー移動については第二の実施形態と同様に行われる。また、同ページ内における現在表示領域変更についても第一の実施形態及び第二の実施形態と同様に行われる。
【０１２５】
以上のとおり、本実施形態による電子データ表示装置１は、ホームビュー情報をページごとに対応付けて登録することができる。したがって、閲覧しようとする電子データが、ページごとに異なるレイアウトで構成される電子文書であったとしても、各ページのレイアウトに適合したホームビューを設定することができる。
また、本実施形態による電子データ表示装置１は、ページ指定受付部１０１において一のページの指定を受け付けた場合には、当該指定されたページのうち、当該指定されたページに対応付けられたホームビュー情報で定められた領域を表示する。すなわち、本実施形態による電子データ表示装置１は、ユーザが電子データのページを送る度に、そのページレイアウトに適合したホームビューを選択して有効化する。したがって、ユーザは、そのページごとにホームビューの設定を要することなく、文書を読み進めることができる。
【０１２６】
以上、本実施形態による電子データ表示装置１によれば、ページごとに異なるレイアウトで構成される電子データを閲覧する場合であっても、ユーザによる閲覧時の操作の負担を軽減するという効果が得られる。
【０１２７】
なお、本実施形態においては特に、各ページについてのホームビュー情報が予め電子データ２０４自身に格納されている態様が望ましい。すなわち、ユーザが電子データ２０４を選択すると同時に、ホームビュー情報取得部１０３が当該電子データ２０４自身に格納されていたホームビュー情報を読み込んで取得し、直ちにこれを設定ホームビュー記憶部２０３へ登録する。このようにすれば、ユーザ自身が各ページの多数に渡るホームビュー情報を設定登録する手間が不要となる。
【０１２８】
なお、上記第一の実施形態、第二の実施形態及び第三の実施形態による電子データ表示装置１は、内部にコンピュータシステムを有している。そして、上述した電子データ表示装置１の各処理の過程は、プログラムの形式でコンピュータ読み取り可能な記録媒体に記憶されており、このプログラムをコンピュータが読み出して実行することによって上記各種処理が行われる。ここで、コンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【符号の説明】
【０１２９】
１・・・電子データ表示装置
１０・・・演算部
１０１・・・ページ指定受付部
１０２・・・表示領域変更指示受付部
１０３・・・ホームビュー情報取得部
１０４・・・表示画像形成部
１０５・・・ホームビュー指定受付部
２０・・・記憶部
２０１・・・現在ページ番号記憶部
２０２・・・現在表示領域記憶部
２０３、２０３１、２０３２・・・設定ホームビュー記憶部
２０４・・・電子データ
２０５・・・現在ホームビュー記憶部
３０・・・操作部
４０・・・表示部
【図１】
2014092870.tif 000003
【図２】
2014092870.tif 000004
【図３】
2014092870.tif 000005
【図４】
2014092870.tif 000006
【図５】
2014092870.tif 000007
【図６】
2014092870.tif 000008
【図７】
2014092870.tif 000009
【図８】
2014092870.tif 000010
【図９】
2014092870.tif 000011
【図１０】
2014092870.tif 000012
【図１１】
2014092870.tif 000013
【図１２】
2014092870.tif 000014
【図１３】
2014092870.tif 000015
【図１４】
2014092870.tif 000016
【図１５】
2014092870.tif 000017
【図１６】
2014092870.tif 000018
【図１７】
2014092870.tif 000019
【図１８】
2014092870.tif 000020
【図１９】
2014092870.tif 000021
【図２０】
2014092870.tif 000022
【図２１】
2014092870.tif 000023
【図２２】
2014092870.tif 000024
【図２３】
2014092870.tif 000025
【図２４】
2014092870.tif 000026
【図２５】
2014092870.tif 000027
【図２６】
2014092870.tif 000028
【図２７】
2014092870.tif 000029
【図２８】
2014092870.tif 000030